(57)【要約】      （修正有）【課題】薬剤と酸化剤の容器を一体で形成して、ブラシは容器と９０度の角度で、または容器と１８０度の角度で切り替えることができるように形成して、頭の模様によってブラシの角度を調節しながら使うことができる染め付け薬排出装置のブラシを提供する。【解決手段】染め付け薬容器１１と結合したキャップ２１の上部で直角で回転することができるし、円形で形成されたブラシ１２の端のくしの歯１４は密集されるように形成されて、中央のくしの歯１４は間隔が大きく形成されて染め付け薬の混合桶で連携される排出管は折れが自由なしわ管で形成されて染め付けをする時、しわ排出管と回転するブラシ１２によって側面と正面作業が容易で、くしの歯１４の配置によって染め付けが容易な染め付け薬排出装置のブラシ１２を提供することを特徴とする。【選択図】図１
2010000117.tif 000002
【特許請求の範囲】
【請求項１】
薬剤室と酸化剤室が一体で形成されて薬剤室と酸化剤室のノズルから噴出される薬剤と酸化剤が混合桶で混合されながらブラシで排出される染め付け薬排出装置において、キャップに支持されながら容器１１で９０〜１８０度の角度で位置が転換されるブラシで構成されることを特徴とする染め付け薬排出装置の回転ブラシ。
【請求項２】
ブラシは円形で形成されて、くしの歯は上から下の方向に傾くように形成されて、ブラシの端から中央方向に凹模様で形成されて、ブラシ支持部に固定されることを特徴とする請求項１に記載の染め付け薬排出装置の回転ブラシ。
【請求項３】
ブラシ支持部は、キャップの上部に回転するように固定されてブラシ支持部が回転する時、排出管が折れないように後ろ部分に切開部が形成されて、下の部分は固定板と接触されて、固定板がブラシ支持部を固定するように構成されることを特徴とする請求項２に記載の染め付け薬排出装置の回転ブラシ。
【請求項４】
固定板はキャップの内径に形成された上、下のあご内に位置するように形成されて、その中央には１８０度の方向に位置するブラシ支持部の後ろ部分が安着することができる穴が形成されて、下の底にはスプリングが形成されて固定板に持続的に弾性を提供して、ブラシ支持部が作動する時に固定板があご内で移動しながらブラシ支持部を圧迫固定するように構成されることを特徴とする請求項３に記載の染め付け薬排出装置の回転ブラシ。
【発明の詳細な説明】
【技術分野】
【０００１】
本発明は、染め付け薬排出装置の回転ブラシに関するものであり、より詳細には、染毛剤容器と酸化剤容器がブラケットと結合されて、ノズルから噴出される染毛剤と酸化剤が混合する混合桶の混合液が、折れが自由なしわ管に排出されるように形成されて、前記しわ管はキャップにヒンジ結合された固定部材を通過してブラシと一体で形成された結合部材と連結されて、ブラシの中央から端にいくほど漸進的にくしの歯は密集されるように形成されて、中央から排出される染色液の分配が容易で染め付け力が向上するように形成されて、ブラシが容器で９０度または１８０度に転換されながら染め付け部位によって染め付けの効果を向上させた染め付け薬排出装置の回転ブラシに関するものである。
【背景技術】
【０００２】
従来の染め付け薬ブラシを包装する場合に、ブラシ部分と容器部分を分離して包装して使用者がブラシを容器に結合して使うために結合の誤りで使用を間違う問題があり、使用者の髪模様が多様であるために、平面状態のブラシは頭肌と接触する断面積が少なくて、毛髪の下部分まで染め付けが容易でない問題点があって、頭と接触角度によって染め付け作業が不便な点があった。
【発明の開示】
【発明が解決しようとする課題】
【０００３】
本発明は、薬剤と酸化剤の容器を一体で形成して、ブラシを円形で形成するものの、端から中央方向に傾くように形成して、ブラシに形成されるくしの歯は中央から端方向に密集されるように形成して、ブラシは容器と９０度の角度で、または容器と１８０度の角度で切り替えることができるように形成して、頭の模様によってブラシの角度を調節しながら使うことができる染め付け薬排出装置のブラシを提供することに目的がある。
【課題を解決するための手段】
【０００４】
本発明は、円形のブラシで構成する。
【０００５】
本発明は、円形のブラシが容器と９０度の角度、または１８０度の角度で切り替えることができるように構成する。
【０００６】
本発明は、円形のブラシが９０度の角度で固定されるように構成する。
【０００７】
本発明によるブラシのくしの歯は上から下の方向に傾くように構成する。
【０００８】
本発明によるブラシは、端から中央方向に凹に形成する。
【０００９】
本発明によるブラシは、容器と９０度または１８０度で位置が転換された状態で堅固に固定されるように構成する。
【００１０】
本発明によるブラシが回転する時、排出管の毀損を防止するために排出管を伸縮することができるように構成する。
【発明の効果】
【００１１】
本発明は、ブラシの全体模様を短く形成して包装と、使用と管理が便利になる効果がある。
【００１２】
本発明は、ブラシの回転で染め付け場所に適用が容易な効果がある。
【００１３】
本発明は、ブラシの中央が凹で頭の模様によって全体くしの歯と肌の接触面積が拡がって染め付けが容易な効果がある。
【発明を実施するための最良の形態】
【００１４】
染め付け薬排出装置において、本発明はブラシ１２が容器に９０度の角度で固定されている染め付け薬排出装置を提供する。
【００１５】
本発明は、ブラシが容器１１と９０度、または１８０度の角度で位置を切り替えながら使うことができる染め付け薬排出装置が提供される。
【００１６】
本発明は、円形模様のブラシ１２が提供される。
【００１７】
ブラシ１２のくしの歯１４は、上から下の方向に傾くように形成される。
【００１８】
前記ブラシ１２のくしの歯１４は、ブラシ１２の中央から端方向に密集されるように形成される。
【００１９】
前記ブラシ１２は、ブラシの支持部１３に固定されていて、ブラシの支持部１３はキャップ２１の上部に固定されて回転するように形成されている。
【００２０】
キャップ２１の内部にはブラシの支持部１３を支持する固定板１６が形成されていて前記固定板１６は２個のあご３１a、３１bの間で上、下運動するように形成されていて、ブラシ支持部１３が９０度の角度で固定されている時、固定板１６はあご３１aの下に位置してブラシ支持部１３が１８０度の角度で固定されている時、固定板１６はあご３１bの上部に位置しながらブラシ１２の位置によって固定板１６が移動するように形成されている。
【００２１】
固定板１６の底面には固定板１６に弾性を提供するスプリング１８が形成されている。
【００２２】
前記固定板１６の中央にはブラシ１２が１８０度で立てられた時、ブラシ支持部１３の後ろ部分の一部が安着するように穴１７が穿孔されている。
【００２３】
ブラシ支持部１３の後ろ部分が固定板１６の穴１７に安着されると、ブラシ１２が穴１７に安着された状態で固定される構成である。
【００２４】
前記スプリング１８の弾性によって固定板１６が持続的にブラシの支持部１３を圧迫するようになって、ブラシ１２が持続的に固定された状態を維持することができる。
【００２５】
ブラシ支持部１３は、排出管２２が連結されている。
【００２６】
ブラシの支持部１３は、ブラシ１２が回転する時排出管２２の伸縮を最小化するために切開部１５が形成されている。
【００２７】
ブラシ支持部１３に固定される排出管２２は所定の長さでしわ２３が形成されている。
【００２８】
前記しわ２３はブラシ１２の方向転換による排出管２２の伸縮による長さを調節するように形成された。
【００２９】
図１は、本発明によるブラシの外形を示すものである。
【００３０】
図２は、回転ブラシの内部を示すものである。
【００３１】
図３は、固定ブラシの内部を示すものである。
【００３２】
図４は、回転ブラシの構造を示すものである。
【００３３】
図５は、回転ブラシの作動状態を示すものである。
【００３４】
図６は、固定板の状態を詳しく示すものである。
【００３５】
図７は、固定板とスプリングの作動を示すためのものである。
【００３６】
図８は、ブラシの作動によって排出管の状態を示すものである。
【実施例】
【００３７】
本発明は、ブラシの構造と、ブラシの作動を構成して従来の染め付けブラシの不便な点を改善したものである。
【００３８】
従来の染め付け薬ブラシを包装する場合、ブラシ部分と容器部分を分離して包装して使用者がブラシを容器に結合して使うために結合の誤りで使用を間違う問題があり、使用者の髪模様が多様であるために平面状態のブラシは頭肌と接触する断面積が少なくて毛髪の下部分まで染め付けが容易でない問題点があって、頭と接触角度によって染め付け作業の不便な点があり、ブラシを結合すると、高さが高くなってよく倒れて、倒れる瞬間にボタンを圧迫する場合があるので、染め付け薬が漏出される問題点があった。
【００３９】
容器１１にブラケット１９を固定してブラケット１９に混合桶２４を結合する。
本発明でブラシ１２は、ブラシ支持部１３と分離して結合固定するように形成されている。
【００４０】
ブラシ１２をブラシ支持部１３と結合する前にキャップ２１の内側で排出管２２の一端をブラシ支持部１３の後ろ部分に挿入してブラシ１２の前面に露出させて排出管２２の他の端は混合桶２４と連結固定して、キャップ２１をブラケット１９に固定する。
【００４１】
前記のような作業は排出管２２の伸縮によって可能である。
【００４２】
前記のようにブラシ支持部１３の前面に露出した排出管２２の端部分をブラシ１２と連結する。
【００４３】
前記のように構成されたブラシ１２が容器１１と９０度の角度で形成された状態で固定板１６はあご３１aの下の部分に位置して、スプリング１８の弾性によってブラシ支持部１３を支持固定するようになって、ブラシ支持部１３を１８０度の角度で立てるようになると、ブラシ支持部１３の後ろ部分が固定板１６を圧迫するようになって、圧迫される固定板１６はスプリング１８の弾性が圧縮されながら後退して固定板はあご３１b上に位置するようになって、ブラシの支持部１３が完全に立てられると、ブラシ支持部１３の後ろ部分が固定板１６の穴１７に安着するようになって、固定板１６は所定の距離で上昇してブラシの支持部１３を支持固定するようになる。
【００４４】
反対にブラシ１２が１８０度の角度から９０度の角度に切り替えるようになると、ブラシ１２を引っ張って折ると、再び固定板１６が圧縮されながらブラシ１２の後ろ部分が穴１７から離脱されてブラシ１２が９０度の角度に転換されると、固定板１６がブラシ支持部１３の横向きを持続的に圧迫して固定を維持することができる。
【００４５】
前記のような状態でブラシ１２を曲面で形成された頭に接触するようになると、くしの歯１４が中央方向に凹に形成されているので、くしの歯１４は全体的に頭の曲面に良好に接触するようになる。
【００４６】
前記のようにブラシ１２の転換状態でボタン２９を作動すると、薬剤室２６と酸化剤室２７の染め付け薬と酸化剤がノズル２５を通じて噴出されて混合桶２４で混合して、混合した混合液が排出管２２を通じてブラシ１２の排出口２８に排出される。
【図面の簡単な説明】
【００４７】
【図１】本発明によるブラシの外形図である。
【図２】回転ブラシの縦断面図である。
【図３】固定ブラシの縦断面図である。
【図４】回転ブラシの分離図である。
【図５】回転ブラシの作動図である。
【図６】Ａ→Ａ'線の断面図である。
【図７】固定板とスプリングの関係図である。
【図８】回転ブラシの詳細図である。
【符号の説明】
【００４８】
１１  容器
１２  ブラシ
１３  ブラシ支持部
１４  くしの歯
１５  切開部
１６  固定板
１７  穴
１８  スプリング
１９  ブラケット
２１  キャップ
２２  排出管
２３  しわ
２４  混合桶
２５  ノズル
２６  薬剤室
２７  酸化剤室
２８  排出口
２９  ボタン
３１  あご(ａ、ｂ)
【図１】
2010000117.tif 000003
【図２】
2010000117.tif 000004
【図３】
2010000117.tif 000005
【図４】
2010000117.tif 000006
【図５】
2010000117.tif 000007
【図６】
2010000117.tif 000008
【図７】
2010000117.tif 000009
【図８】
2010000117.tif 000010